(57)【特許請求の範囲】
【請求項１】
縦方向と前記縦方向に直交する横方向と、前記縦方向と前記横方向とに直交する前後方向とを有し、レンズと、レンズフレームと、柔軟弾性材料から形成されていて、前記レンズフレームの周縁から後方に延び、着用者の顔面に当接する後方周縁部を有する弾性スカートとを有するマスク本体と、マスク本体の両側の連結部に連結されたヘッドストラップとを含む水中マスクにおいて、
前記弾性スカートの前記後方周縁部は、上方被覆域と、前記上方被覆域と前記縦方向において離間対向する下方被覆域と、前記横方向において互いに離間対向する両側被覆域とを有し、前記上方被覆域と前記両側被覆域とのうちの少なくとも一方には、前記後方周縁部の他の部分よりもその周方向に弾性的に伸縮する一対の高弾性伸縮部が形成されており、
前記一対の高弾性伸縮部は、前記周方向において互いに離間する複数の凹部と、前記凹部間に位置する複数の離間部とを有することを特徴とする前記水中マスク。
【請求項２】
前記上方被覆域に位置し、互いに前記横方向において離間対向する第１高弾性伸縮部と第２高弾性伸縮部と、前記両側被覆域に位置する第３高弾性伸縮部と第４高弾性伸縮部とをさらに有する請求項１に記載の水中マスク。
【請求項３】
前記弾性スカートは前記横方向におけるその長さ寸法を２等分する縦中心線をさらに有し、前記第１及び第２高弾性伸縮部がそれぞれ前記上方被覆域における前記縦中心線と前記マスク本体の前記連結部との間に位置し、前記第３及び第４高弾性伸縮部がそれぞれ前記両側被覆域における前記連結部の下方側に位置する請求項１又は２に記載の水中マスク。
【請求項４】
前記下方被覆域の中央部に位置し、全体として前記下方被覆域の他の部位に比して肉薄な第５高弾性伸縮部をさらに有する請求項１〜３のいずれかに記載の水中マスク。
【請求項５】
前記第３及び第４高弾性伸縮部と前記第５高弾性伸縮部との間には、それぞれリブが形成されている請求項１〜４のいずれかに記載の水中マスク。
【請求項６】
前記各高弾性伸縮部を形成する凹部の外端縁は、前記後方周縁部の外側縁よりも前記後方周縁部の径方向の内方に位置している請求項１〜５のいずれかに記載の水中マスク。
【請求項７】
前記各高弾性伸縮部を形成する前記凹部が、前記後方周縁部の前記周方向及び前記径方向へ所与寸法離間して並んでいる請求項１〜６のいずれかに記載の水中マスク。
【請求項８】
前記各高弾性伸縮部は、前記後方へ向かうにつれて次第に幅広となる請求項１〜７のいずれかに記載の水中マスク。
【請求項９】
前記後方周縁部のうちの少なくとも前記各高弾性伸縮部の内面には、着用者の肌に対する滑りを良くするための化粧的に許容されるコーティング剤が塗布されている請求項１〜８のいずれかに記載の水中マスク。
【発明の詳細な説明】
【技術分野】
【０００１】
本発明は、ダイビング等に使用する水中マスク、特に、弾性スカートを着用者の顔面によりフィットさせることのできる水中マスクに関する。
【背景技術】
【０００２】
従来、ダイビング等に使用する水中マスクは公知である。例えば、特許文献１には、一対のレンズが嵌められたレンズフレームと、レンズフレームから後方へ延びる弾性スカートと、レンズフレームの両側に配設され、バックルに掛け回されたヘッドストラップとを有する水中マスクが開示されている。
【先行技術文献】
【特許文献】
【０００３】
【特許文献１】特開２００３−２６５６４７号公報
【発明の概要】
【発明が解決しようとする課題】
【０００４】
特許文献１に開示の水中マスクによれば、ヘッドストラップを所要の長さに調整して着用者の頭部に掛け回すことによって、弾性スカートを着用者の顔面に当接させることができる。
【０００５】
しかし、弾性スカートは比較的に柔軟な弾性部材で形成されているが一定の強度を要するために全体が比較的に肉厚であって所要の剛性を有しており、着用者の顔面形状のうちの突出部位にフィットせず、隙間が生じて水がマスクの内部に浸入したり、着用するときに肌が弾性スカートとともに後方へ引っ張られて、着用者の肌に刺激を与えるという問題があった。
【０００６】
本発明の課題は、従来の水中マスクの改良であって、ゴム等の弾性材料から形成された弾性スカートの後方周縁部の一部に他の部位よりも弾性的により伸縮し易い領域を設けることによって、着用者の顔面に弾性スカートをよりフィットさせることのできる水中マスクの提供にある。
【課題を解決するための手段】
【０００７】
前記課題を解決するために、本発明は、縦方向と前記縦方向に直交する横方向と、前記縦方向と前記横方向とに直交する前後方向とを有し、レンズと、レンズフレームと、柔軟弾性部材から形成されていて、前記レンズフレームの周縁から後方に延び、着用者の顔面に当接する後方周縁部を有する弾性スカートとを有するマスク本体と、マスク本体の両側の連結部に連結されたヘッドストラップとを含む水中マスクに関する。
【０００８】
本発明に係る水中マスクは、前記弾性スカートの後方周縁部は、上方被覆域と、前記上方被覆域と前記縦方向において離間対向する下方被覆域と、前記横方向において互いに離間対向する両側被覆域とを有し、前記上方被覆域と前記両側被覆域とのうちの少なくとも一方には、前記後方周縁部の他の部位よりもその周方向に弾性的に伸縮する一対の高弾性伸縮部が形成されており、前記一対の高弾性伸縮部は、前記周方向において互いに離間する複数の凹部と、前記凹部間に位置する複数の離間部とを有することを特徴とする。
【００１０】
本発明の他の実施態様の一つとして、前記上方被覆域に位置し、互いに前記横方向において離間対向する第１高弾性伸縮部と第２高弾性伸縮部と、前記両側被覆域に位置する第３高弾性伸縮部と第４高弾性伸縮部とをさらに有する。
【００１１】
本発明の他の実施態様の一つとして、前記弾性スカートは前記横方向におけるその長さ寸法を２等分する縦中心線をさらに有し、前記第１及び第２高弾性伸縮部がそれぞれ前記上方被覆域における前記縦中心線と前記マスク本体の前記連結部との間に位置し、前記第３及び第４高弾性伸縮部がそれぞれ前記両側被覆域における前記連結部の下方側に位置する。
【００１２】
本発明の他の実施態様の一つとして、前記下方被覆域の中央部に位置し、全体として前記下方被覆域の他の部位に比して肉薄な第５高弾性伸縮部をさらに有する。
【００１３】
本発明の他の実施態様の一つとして、前記第３及び第４高弾性伸縮部と前記第５高弾性伸縮部との間には、それぞれリブが形成されている。
【００１４】
本発明の他の実施態様の一つとして、前記各高弾性伸縮部を形成する凹部の外端縁は、前記後方周縁部の外側縁よりも前記後方周縁部の径方向の内方に位置している。
【００１５】
本発明の他の実施態様の一つとして、前記各高弾性伸縮部を形成する前記凹部が、前記後方周縁部の前記周方向及び前記径方向へ所与寸法離間して並んでいる。
【００１６】
本発明の他の実施態様の一つとして、前記各高弾性伸縮部は、前記後方へ向かうにつれて次第に幅広となる。
【００１７】
本発明の他の実施態様の一つとして、前記後方周縁部のうちの少なくとも前記各高弾性伸縮部の内面には、着用者の肌に対する滑りを良くするための化粧的に許容されるコーティング剤が塗布されている。
【発明の効果】
【００１８】
本発明に係る水中マスクの一つ以上の実施態様によれば、弾性スカートの後方周縁部の上方被覆域又は両側被覆域の少なくとも一方に一対の高弾性伸縮部が形成されているので、着用者の顔面形状における突出部位に沿って高弾性伸縮部が弾性的に伸縮して後方周縁部のフィット性がより向上し、該部位からの水中マスク内部への水の浸入を防止したり、着用時における着用者の肌への刺激を低減することができる。
【図面の簡単な説明】
【００１９】
【図１】本発明に係る水中マスクの斜視図。
【図２】弾性スカートの正面図。
【図３】弾性スカートの右側面図。
【図４】弾性スカートの左側面図。
【図５】図３に示すＶ−Ｖ線に沿う断面図。
【図６】図２に示すＶＩ−ＶＩ線に沿う断面図。
【図７】水中マスクの着用状態における斜視図。
【図８】他の実施形態における図３と同様の弾性スカートの右側面図。
【図９】図８に示すＩＸ−ＩＸ線に沿う断面図。
【発明を実施するための形態】
【００２０】
図１を参照すると、水中マスク１０は、縦方向Ｙとそれに直交する横方向Ｘと縦方向Ｙ及び横方向Ｘに直交する前後方向Ｆ，Ｒを有し、レンズ１１を保持するレンズフレーム１２と、レンズフレーム１２から後方へ延びるゴム、プラスチック等の柔軟弾性材料から形成された弾性スカート１３とを有するマスク本体１４と、レンズフレーム１２の両側に設けられたバックル１５と、バックル１５にその先端部分が長さ調整可能に掛けまわされているヘッドストラップ１６とを含む。
【００２１】
レンズ１１は、ガラス等の無機またはプラスチックス等の有機の硬質透明板から形成されており、レンズフレーム１２は硬質プラスチック材料から形成されている。弾性スカート１３は、レンズフレーム１２の横方向Ｘの中央部に位置するレンズ保持部間において前方Ｆへ向かって突出する鼻覆い部１８と、着用者の顔面に当接する環状の後方周縁部１９とを有する。また、弾性スカート１３の両側部には、後方周縁部１９と一体に成形され、バックル１５が連結された連結部２０が設けられている。バックル１５は、レンズフレーム１２と同様に硬質プラスチック材料から形成されており、ヘッドストラップ１６は弾性スカート１３と同様にまたはそれ以上に軟質の柔軟弾性材料から形成されており、その内面には、その長さ方向へ等間隔に並んだ複数の係合歯２２が配設されている。
【００２２】
図２を参照すると、弾性スカート１３は、その横方向Ｘにおける寸法を二等分する縦中心線Ｐ−Ｐを有し、これに関して対称である。弾性スカート１３は、レンズフレーム１２に嵌合される一対の開口部２３を有し、その後方周縁部１９は、レンズフレーム１２の中央部から後方Ｒへ延びる上方被覆域２５と、鼻覆い部１８の下方に位置して横方向Ｘへ延びる下方被覆域２６と、連結部２０が位置し、互いに横方向Ｘにおいて離間対向する両側被覆域２７，２８とを有する。
【００２３】
図３及び４を参照すると、後方周縁部１９は複数の高弾性伸縮部を有しており、具体的には、上方被覆域２５において、横方向Ｘに互いに離間対向して位置する第１及び第２高弾性伸縮部３１，３２と、両側被覆域２７，２８において、マスク本体１４の連結部２０よりも下方に位置する第３及び第４高弾性伸縮部３３，３４と、下方被覆域２６の中央部に位置する第５高弾性伸縮部３５とをそれぞれ有する。また、第３高弾性伸縮部及び第４高弾性伸縮部３３，３４と第５高弾性伸縮部３５との間には、それぞれ、弾性スカート１３の外面から突出するリブ３６が配設されている。前記のとおり、水中マスク１０は縦中心線Ｐ−Ｐに関して対称であるので、以下、図３を用いて弾性スカート１３の左右側面のうちの右側面に位置する第１及び第３高弾性伸縮部３１，３３について説明する。
【００２４】
図３及び５を参照すると、第１及び第３高弾性伸縮部３１，３３は、後方周縁部１９の周方向に並ぶ複数の凹部３９を有するものであって、隣り合う凹部３９間には、離間部４０が位置している。図３に示すとおり、第１高弾性伸縮部３１を形成する凹部３９は、離間部４０を含めた弾性スカート１３の他の部分よりも肉薄になっている。具体的には、後方周縁部１９の厚さ寸法Ｒ１が約１．０〜２．０ｍｍであるのに対し、凹部３９の深さ寸法Ｄは、約０．４〜１．２ｍｍである。したがって、水中マスク１０が着用者の顔面に着用されて、弾性スカート１３が後方周縁部１９の周方向に引っ張られたときに、他の部位に比して肉薄の凹部３９がより後方周縁部１９の周方向に拡げられて第１高弾性伸縮部３１全体が他の部分に比して弾性的に伸縮し易くなっている。
【００２５】
第１及び第３高弾性伸縮部３１，３３それぞれを連続的に後方周縁部１９の他の部分に比して肉薄にすることによってその周方向へ弾性的に伸縮し易くすることもできるが、本実施形態のように複数の凹部３９と離間部４０とを後方周縁部１９の周方向に交互に配置することによって、着用者の顔面形状に沿って弾性的に伸縮し易くなっている一方、部分的に適度な剛性を有して安定的に着用者の顔面にフィットし、水中において第１及び第３高弾性伸縮部３１，３３が顔面から離間するおそれはない。また、凹部３９や離間部４０の厚さ寸法や形状、大きさによって第１及び第３高弾性伸縮部３１，３３の伸縮度合いを適宜調整することができる。本実施形態においては、着用者の顔面に対する弾性スカート１３のフィット性をより向上させるために、後方周縁部１９には上方被覆域２５に位置する第１及び第２高弾性伸縮部３１，３２と、両側被覆域２７，２８に位置する第３及び第４高弾性伸縮部３３，３４とが設けられているが、かかる効果を奏する限りにおいて、少なくともそれらのいずれか一方が形成されていればよい。
【００２６】
ここで、本明細書における「高弾性伸縮部」とは、同一の材料、すなわち、柔軟弾性材料から形成された弾性スカート１３において部分的に肉薄な部分を形成して他の領域に比して弾性的に伸縮し易くなっている部分を意味する。具体的には、後方周縁部１９の各高弾性伸縮部以外の他の部位を周方向へ所定の大きさの力で引っ張ったときの伸長率（長さ変化量）は約１．０〜４．０％であるのに対し、第１〜第４高弾性伸縮部３１，３２，３３，３４を後方周縁部１９の周方向において所定の大きさの力で引っ張ったときの伸長率（長さ変化量）は約５．０〜８．０％である。かかる伸長率は比較的に小さいものといえるが、弾性スカート１３を着用者の顔面形状に沿って弾性的に伸縮させてそれにフィットさせる限りにおいて、十分な伸長率といえる。
【００２７】
＜各高弾性伸縮部の伸長率の測定方法＞
各高弾性伸縮部の伸長率は、引張・圧縮試験機（(株)昭和試験機製作所製）を用いて以下の方法により測定する。各高弾性伸縮部について、それぞれ、幅寸法（後方周縁部１９の径方向における寸法）１０ｍｍ、長さ寸法（後方周縁部１９の周方向における寸法）４５ｍｍを切り取ってサンプルとする。各サンプルにおける４５ｍｍの間を１４．７Ｎ（実際に、着用者の顔面に装着されるときに想定される後方周縁部１９の周方向への引っ張り力）の荷重／１０ｍｍ幅で引っ張り、伸長後のサンプルの長さをＡ（ｍｍ）とする。伸長率は、「（Ａ−４５）／４５×１００」、すなわち、（１４．７Ｎで伸長後のサンプルの長さ−伸長前のサンプルの長さ）／（伸長前のサンプルの長さ）×１００で求める。各高弾性伸縮部について同様に複数（Ｎ＝３）測定し、その平均値を伸長率（％）とする。後方周縁部１９の各高弾性伸縮部以外の他の部位における伸長率についても同様の方法で測定する。
【００２８】
図３に示すとおり、凹部３９の外端縁３９ａは後方周縁部１９の外側縁１９ａよりもその径方向の内方に位置している。したがって、これらの高弾性伸縮部３１，３３が後方周縁部１９の周方向に引っ張られて凹部３９が着用前の状態からさらに肉薄になったとしても、凹部３９の外端縁３９ａの一部が切れたり、ひび割れしたりするおそれはない。また、凹部３９は、後方周縁部１９の径方向へ延びるほぼ矩形であるところ、外方に向かうにつれて次第に幅広となる形状を有していてもよい。その場合には、第１及び第３高弾性伸縮部３１，３３全体が外方へ向かうにつれて弾性的に伸縮し易くなるので、後方周縁部１９の外側縁１９ａをより着用者の身体にフィットさせることができ、確実に水中マスク１０内への水の浸入を防止することができる。
【００２９】
図６を参照すると、第５高弾性伸縮部３５は、その全体が弾性スカート１３の他の領域に比して肉薄になっている。具体的には、第５高弾性伸縮部３５の厚さ寸法Ｒ２は約０．４〜１．２ｍｍである。第５高弾性伸縮部３５は、全体として肉薄になっているので、第１〜４高弾性伸縮部３１，３２，３３，３４よりも弾性的に伸び易くなっており、具体的には、前記の測定方法による、後方周縁部１９の周方向に所定の大きさの力で引っ張ったときの伸長率（長さ変化量）は約５．０〜９．０％である。なお、第５高弾性伸縮部３５を第１〜第４高弾性伸縮部３１，３２，３３，３４と同様に複数の凹部３９と離間部４０とを交互に後方周縁部１９の周方向に配列することによって形成してもよいし、第１〜第４高弾性伸縮部３１，３２，３３，３４を第５高弾性伸縮部３５と同様に全体的に肉薄にすることによって形成してもよい。ただし、第５高弾性伸縮部３５は、後記のとおり、着用者の鼻下の部位を被覆する部位であるので、外観上、第１〜第４高弾性伸縮部３１，３２，３３，３４のような複数の凹部３９と離間部４０とからなる蛇腹のような模様形状を有していないことが好ましい。
【００３０】
図７を参照すると、水中マスク１０を着用者Ｈの顔面に着用させた状態において、第１及び第２高弾性伸縮部３１，３２は、着用者Ｈの眉上近傍の前頭骨の突出した部位（側方突出部位）と対向して位置している。また、第３及び第４高弾性伸縮部３３，３４は、着用者Ｈの頬骨と対向して位置している。前頭骨の側方突出部位と頬骨とは着用者Ｈの顔面形状において他の部位に比して突出した部位であって、かかる突出部位の形状に沿って第１〜４高弾性伸縮部３１，３２，３３，３４が後方周縁部１９の周方向に弾性的に伸縮し易いので、後方周縁部１９全体が着用者Ｈの顔面にフィットする。したがって、これら突出部位から後方周縁部１９の一部が離間して水中マスク１０の内部に水が浸入するおそれはない。また、頬骨や前頭骨の側方突出部位においては皮膚が薄くなっており、弾性スカート１３が伸び難く比較的に剛性が高い材料から形成されている場合には、ヘッドストラップ１６を頭部に掛け回したときに皮膚が後方に引っ張られて着用者Ｈの肌に刺激を与えるおそれがある。第１〜第４高弾性伸縮部３１，３２，３３，３４では、複数の凹部３９によって伸縮し易くなっているうえに、全体として剛性が低くなっているので肌当たりが良好であって、皮膚の薄くなっている部分が弾性スカート１３とともに後方へ引っ張られることを抑制することができ、着用者Ｈの肌に与える刺激を低減することができる。
【００３１】
潜水時には、水中マスク１０を着用した状態のままレギュレータ４２のマウスピース４３を口に咥えることがある。かかる場合には、マウスピース４３を口に咥えたときに上唇が持ち上げられて後方周縁部１９の下方被覆域２６がそれとともに湾曲される。下方被覆域２６の中央部、言い換えれば、着用者Ｈの鼻下の部位と対向する位置には第５高弾性伸縮部３５が形成されているので、それが持ち上げられた該鼻下部位の形状に沿って後方被覆部１９の周方向へ伸縮してフィットする。したがって、該部位に隙間が生じて水が水中マスク１０の内部に浸入したり、着用者Ｈに違和感を与えたりするおそれはない。
【００３２】
後方周縁部１９の各高弾性伸縮部以外の部分は所要の厚さを有するので、該部分では着用者の顔面に安定的に押し当てられる。特に、着用者の前頭部と頬下とを被覆する部位には着用者の額や頬の動きによって弾性スカート１３がずれないように所要の厚さと剛性とを要するところ、頬下を被覆する部位にはリブ３６が設けられているので、弾性スカート１３が頬下に安定的に押し当てられてその動きに順応するので、使用中に該部位において弾性スカート１３が着用者の肌から離間するおそれはない。
【００３３】
図示していないが、後方周縁部１９の内面と肌との滑り摩擦を抑えるために、その内面に肌に対する滑りを良くするための化粧的に許容されるコーティング剤を塗布することが好ましい。通常の水中マスクでは、弾性スカートがシリコーンゴムやエラストマー等の柔軟弾性材料で形成されており、その内面が着用者の肌に張り付いて摺動性が低く、水中マスクを着用するときに後方に引っ張られる弾性スカートとともに肌が後方へ引っ張られ易くなり着用者の肌に刺激を与えたり、後方周縁部の外側縁沿いが折れ曲がって肌から離間して水中マスク内部に水が浸入する原因ともなりうる。したがって、肌に対する滑りを良くするコーティング剤を弾性スカートの内面、特に、少なくとも後方周縁部１９の外側縁１９ａに沿って塗布することによって、肌が弾性スカートとともに後方へ引っ張られるのを抑制することができる。かかるコーティング剤としては、例えば、有機樹脂粉末や無機充填剤粉末であって、ポリエチレン、ポリカーボネート、アクリル樹脂、ナイロン、ウレタン樹脂、シリコーンゴム、アクリルゴムなどの微粒子を含むものを使用することができる。第１〜第５高弾性伸縮部３１，３２，３３，３４，３５の伸縮時の肌に対する滑りをさらに良くするために、コーティング剤は、後方周縁部１９のうちのこれら高弾性伸縮部の内面に塗布されていることが好ましい。弾性スカート１３の内面の肌に対する滑りを良くするために、コ―ティング剤を塗布するほかに、弾性スカート１３の内面にシボ等の微細な凹凸を形成してもよいし、弾性スカート１３自体を肌に対する滑り性の良い弾性材料から形成してもよい。
【００３４】
図８及び９を参照すると、本実施形態においては、第１及び第３高弾性伸縮部３１，３３は、ドット状の複数の凹部３９が後方周縁部１９の周方向に並ぶことによって形成された複数の第１列５１と、複数の凹部３９が後方周縁部１９の径方向へ並ぶことによって形成された複数の第２列５２とを有する。隣り合う第１列５１どうしは後方周縁部１９の径方向において互いに離間し、隣り合う第２列５２どうしは後方周縁部１９の周方向において互いに離間しており、それらの間には離間部４０が位置している。このように、第１及び第３高弾性伸縮部３１，３３では、複数の凹部３９を配列した第１及び第２列５１，５２が形成されていることによって、後方周縁部１９の周方向のみならず径方向にも伸縮し易くなっており、着用者の顔面形状に沿って伸縮し、かつ、フィットすることができる。
【００３５】
凹部３９は、径方向の外方に向かうにつれてその面積が大きくなる大小様々なドット状であって、第１列５１を形成する凹部３９の数は後方周縁部１９の径方向の外方に向かうにつれて次第に多くなっており、第１及び第３高弾性伸縮部３１，３３は全体的に後方へ向かうにつれて幅広となる形状を有している。したがって、後方周縁部１９の外側縁１９ａに向かうにつれて後方周縁部１９の周方向及び径方向へより弾性的に伸び易くなっていので、顔面形状にフィットし、水中マスク内部に水が浸入するのを防止することができる。このように、第１及び第２列５１，５２の凹部３９の個数、面積及び深さ寸法を変えることによって、第１及び第３高弾性伸縮部３１，３３の伸縮度合いを細かく設定することができる。また、複数の凹部３９がドット状に配列されているので、それらが意匠装飾としての機能も有し、水中マスク１０の外観上も好ましい。
【００３６】
水中マスク１０を構成する各構成部材には、本明細書に記載されている材料のほかに、この種の物品において通常用いられている各種の公知の材料を制限なく用いることができる、また、本発明の明細書及び特許請求の範囲において、「第１」および「第２」の用語は、同様の要素、位置などを単に区別するために用いられている。
【符号の説明】
【００３７】
１０  水中マスク
１１  レンズ
１２  レンズフレーム
１３  弾性スカート
１４  マスク本体
１５  バックル
１６  ヘッドストラップ
１９  後方周縁部
１９ａ  後方周縁部の外側縁
２０  連結部
２５  上方被覆域
２６  下方被覆域
２７，２８  両側被覆域
３１  第１高弾性伸縮部
３２  第２高弾性伸縮部
３３  第３高弾性伸縮部
３４  第４高弾性伸縮部
３５  第５高弾性伸縮部
３６  リブ
３９  凹部
３９ａ  凹部の外端縁
４０  離間部
Ｆ    前方
Ｐ−Ｐ  弾性スカートの縦中心線
Ｒ    後方
Ｘ    横方向
Ｙ    縦方向
【図１】
0005466220.tif 000002
【図２】
0005466220.tif 000003
【図３】
0005466220.tif 000004
【図４】
0005466220.tif 000005
【図５】
0005466220.tif 000006
【図６】
0005466220.tif 000007
【図７】
0005466220.tif 000008
【図８】
0005466220.tif 000009
【図９】
0005466220.tif 000010